(57)【特許請求の範囲】
【請求項１】
顧客端末と業務委託業者端末と予約管理サーバとがネットワークを介して接続されてなる家事代行サービスの予約方法であって、
前記予約管理サーバは、
日毎に家事代行サービスの値段のランク付けがされている第１の予約カレンダーを格納するステップと、
前記第１の予約カレンダーを前記業務委託業者端末に送信するステップと、
前記業務委託業者端末に送信された第１の予約カレンダーに対し、業務委託業者が当該業務委託業者端末を用いて設定した日毎の家事代行サービス可動可能枠数を受信するステップと、
前記業務委託業者の可動可能枠数が設定された内容を含む第２の予約カレンダーを前記顧客端末に送信するステップと、
前記顧客端末に送信された前記第２の予約カレンダーに対し、顧客が当該顧客端末を用いて予約した家事代行サービスを所望する日時を受信するステップと、
前記予約された日時に対する業務発注を、前記業務委託業者端末に送信するステップとを含むことを特徴とする家事代行サービス予約方法。
【請求項２】
前記予約管理サーバは、
前記顧客が前記顧客端末を用いて家事代行サービスを予約した日時に対して、前記業務委託業者が前記業務委託業者端末を用いて入札した家事代行サービスの請負値を受信するステップと、
前記入札した業務委託業者に対する業務発注を、当該業務委託業者の業務委託業者端末に送信するステップとをさらに含むことを特徴とする請求項１に記載の家事代行サービス予約方法。
【請求項３】
前記予約管理サーバは、
前記顧客が前記顧客端末を用いて行った前記業務委託業者に対する家事代行サービスの評価を受信するステップと、
前記評価に対する評価点を算出するステップと、
前記算出された評価点に基づいて、家事代行サービス業者が選定した業務委託業者に対する業務発注を当該業務委託業者端末に送信するステップとをさらに含むことを特徴とする請求項１又は２に記載の家事代行サービス予約方法。
【請求項４】
前記予約管理サーバは、
複数の家事代行サービスに対してサービスチケット番号と該サービスチケット番号に対応する小売り店舗の情報が夫々付与されたものを格納するステップと、
前記顧客が前記顧客端末を用いて家事代行サービスを予約すると、当該予約した家事代行サービスに対するサービスチケット番号と該サービスチケット番号に対応する小売り店舗の情報を生成するステップとをさらに含むことを特徴とする請求項１〜３のいずれか１項に記載の家事代行サービス予約方法。
【請求項５】
前記予約管理サーバは、
前記第２の予約カレンダーに対し、前記顧客が前記顧客端末を用いて、所定の時期に、家事代行サービスを所望する日時を予約すると、当該顧客に特典を付与するステップとをさらに含むことを特徴とする請求項１〜４のいずれか１項に記載の家事代行サービス予約方法。
【請求項６】
前記予約管理サーバは、
前記顧客が前記顧客端末を用いて予約した家事代行サービスに対し、当該顧客端末を用いて日時を変更する場合、急な予約変更に関しては、前記特典の全部又は一部を消化するステップとをさらに含むことを特徴とする請求項５に記載の家事代行サービス予約方法。
【発明の詳細な説明】
【技術分野】
【０００１】
本発明は、サービス供給の平準化が可能な家事代行サービス予約方法に関する。
【背景技術】
【０００２】
近年、ライフスタイルが多様化し、一般家庭においても家事の一部を代行してもらいたいというニーズが高まってきている。そのため、そのようなニーズに応え、掃除、洗濯、買い物、料理等、家事の一部を必要な時に必要な部分だけ代行する家事代行サービスというサービスが、様々な企業によって提供されている。
【発明の概要】
【発明が解決しようとする課題】
【０００３】
しかしながら、上記のような従来の家事代行サービスには次のような問題があった。すなわち、従来の家事代行サービスは、季節によらず値段が一律に設定されていることから、家事代行サービス業者が業務委託業者を介して家事代行サービスを顧客に提供する場合、季節ごとに需要が異なるため、繁忙期には、家事代行サービス業者の依頼する案件を業務委託業者が受けることができない場合があり、また、閑散期には業務委託業者の稼働率が落ち、収益性が悪化するため、業務委託業者としては、閑散期には通常よりも低い価格で家事代行サービスを提供しても稼働率を上げたいというニーズがあった。また、顧客側としても、低価格であれば閑散期であってもサービスを受けたいというニーズがあった。
【０００４】
それゆえ、従来の家事代行サービスは、家事代行サービス業者，業務委託業者，顧客との間で満足いくようなサービス供給ができておらず、サービス供給の平準化ができていないという問題があった。
【０００５】
そこで本発明は、上記問題に鑑み、サービス供給の平準化が可能な家事代行サービス予約方法を提供することを目的としている。
【課題を解決するための手段】
【０００６】
上記課題を解決するための手段は、以下の手段によって達成される。なお、括弧内は、後述する実施形態の参照符号を付したものであるが、本発明はこれに限定されるものではない。
【０００７】
請求項１に係る家事代行サービス予約方法は、顧客端末（３）と業務委託業者端末（２）と予約管理サーバ（１）とがネットワーク（Ｎ）を介して接続されてなる家事代行サービスの予約方法であって、
前記予約管理サーバ（１）は、
日毎に家事代行サービスの値段のランク付けがされている第１の予約カレンダーを格納するステップと、
前記第１の予約カレンダーを前記業務委託業者端末（２）に送信するステップ（ステップＳ３Ａ参照）と、
前記業務委託業者端末（２）に送信された第１の予約カレンダーに対し、業務委託業者が当該業務委託業者端末（２）を用いて設定した日毎の家事代行サービス可動可能枠数を受信するステップ（ステップＳ４参照）と、
前記業務委託業者の可動可能枠数が設定された内容を含む第２の予約カレンダーを前記顧客端末（３）に送信するステップ（ステップＳ６参照）と、
前記顧客端末（３）に送信された前記第２の予約カレンダーに対し、顧客が当該顧客端末（３）を用いて予約した家事代行サービスを所望する日時を受信するステップ（ステップＳ７参照）と、
前記予約された日時に対する業務発注を、前記業務委託業者端末（２）に送信するステップ（ステップＳ８参照）とを含むことを特徴としている。
【０００８】
また、請求項２に係る家事代行サービス予約方法は、上記請求項１に記載の家事代行サービス予約方法において、前記予約管理サーバ（１）は、
前記顧客が前記顧客端末（３）を用いて家事代行サービスを予約した日時に対して、前記業務委託業者が前記業務委託業者端末（２）を用いて入札した家事代行サービスの請負値を受信するステップ（ステップＳ９参照）と、
前記入札した業務委託業者に対する業務発注を、当該業務委託業者の業務委託業者端末（２）に送信するステップ（ステップＳ１１参照）とをさらに含むことを特徴としている。
【０００９】
さらに、請求項３に係る家事代行サービス予約方法は、上記請求項１又は２に記載の家事代行サービス予約方法において、前記予約管理サーバ（１）は、
前記顧客が前記顧客端末（３）を用いて行った前記業務委託業者に対する家事代行サービスの評価を受信するステップ（ステップＳ１２参照）と、
前記評価に対する評価点を算出するステップ（ステップＳ１３参照）と、
前記算出された評価点に基づいて、家事代行サービス業者が選定した業務委託業者に対する業務発注を当該業務委託業者端末（２）に送信するステップ（ステップＳ１１参照）とをさらに含むことを特徴としている。
【００１０】
そして、請求項４に係る家事代行サービス予約方法は、上記請求項１〜３のいずれか１項に記載の家事代行サービス予約方法において、前記予約管理サーバ（１）は、
複数の家事代行サービスに対してサービスチケット番号と該サービスチケット番号に対応する小売り店舗の情報が夫々付与されたものを格納するステップと、
前記顧客が前記顧客端末（３）を用いて家事代行サービスを予約すると、当該予約した家事代行サービスに対するサービスチケット番号と該サービスチケット番号に対応する小売り店舗の情報を生成するステップとをさらに含むことを特徴としている。
【００１１】
一方、請求項５に係る家事代行サービス予約方法は、上記請求項１〜４のいずれか１項に記載の家事代行サービス予約方法において、前記予約管理サーバ（１）は、
前記第２の予約カレンダーに対し、前記顧客が前記顧客端末（３）を用いて、所定の時期に、家事代行サービスを所望する日時を予約すると、当該顧客に特典（ポイント）を付与するステップとをさらに含むことを特徴としている。
【００１２】
さらに、請求項６に係る家事代行サービス予約方法は、上記請求項５に記載の家事代行サービス予約方法において、前記予約管理サーバ（１）は、
前記顧客が前記顧客端末（３）を用いて予約した家事代行サービスに対し、当該顧客端末（３）を用いて日時を変更する場合、急な予約変更に関しては、前記特典（ポイント）の全部又は一部を消化するステップとをさらに含むことを特徴としている。
【発明の効果】
【００１３】
次に、本発明の効果について、図面の参照符号を付して説明する。まず、請求項１の発明によれば、予約管理サーバ（１）に予め格納されている日毎に家事代行サービスの値段のランク付けがされている第１の予約カレンダーに対し、業務委託業者が上記業務委託業者端末（２）を用いて日毎の家事代行サービス可動可能枠数を設定し、さらに、その業務委託業者の可動可能枠数が設定された内容を含む第２の予約カレンダーに対し、顧客が顧客端末（３）を用いて家事代行サービスを所望する日時を予約し、そして、その予約された日時に対する業務発注を、予約管理サーバ（１）を用いて当該業務委託業者端末（２）に送信するようにしている。そのため、業務委託業者は、価格帯が異なる日毎に自らの意思で可動可能枠数を設定し、さらに、顧客は、上記業務委託業者が可動可能枠数を設定した日のうち、家事代行サービスを所望している日に当該サービスを予約することができ、そして、家事代行サービス業者は、業務委託業者が自らの意思で可動可能枠数を設定した日に顧客からの家事代行サービスの予約が入れば業務発注をしているため、家事代行サービス業者としては、業務委託業者に業務発注を断られる事態を低減させることができ、さらに、業務委託業者としては、通常よりも低価格の請負であっても稼働率を上げることができ、そして、顧客側としては、通常よりも低価格で家事代行サービスを受けることができる。
【００１４】
したがって、本発明によれば、サービス供給の平準化が可能となる。
【００１５】
また、請求項２の発明によれば、顧客が顧客端末（３）を用いて家事代行サービスを予約した日時に対する家事代行サービスの請負値を業務委託業者が業務委託業者端末（２）を用いて入札し、その入札した業務委託業者に対し、家事代行サービス業者が、当該業務委託業者に対する業務発注を、予約管理サーバ（１）を用いて当該業務委託業者端末（２）に送信しているから、より低価格で家事代行サービスを請負っても稼働率を上げることを所望している業務委託業者を満足させることができる。それゆえ、よりサービス供給の平準化が可能となる。
【００１６】
一方、請求項３の発明によれば、家事代行サービス業者が、顧客が顧客端末（３）を用いて行った業務委託業者に対する家事代行サービスの評価に対して予約管理サーバが算出した評価点に基づいて、その予約管理サーバ（１）を用いて業務発注を行う業務委託業者を選定するため、家事代行サービス業者は、評価の高い業務委託業者を優先的に選択することができるため、家事代行サービスの品質の向上につながる。
【００１７】
そして、請求項４の発明によれば、予約管理サーバ（１）には、複数の家事代行サービスに対してサービスチケット番号と該サービスチケット番号に対応する小売り店舗の情報が夫々付与されたものが予め格納されており、顧客が顧客端末（３）を用いて家事代行サービスを予約すると、当該予約した家事代行サービスに対するサービスチケット番号と該サービスチケット番号に対応する小売り店舗の情報が予約管理サーバ（１）により生成される。そのため、家事代行サービスをパッケージ化し店頭販売（インターネット上での販売も含む）しているような商品を購入した顧客に対し、当該家事代行サービスを購入した小売り店舗で使用できるサービスチケット番号が付与されたクーポン等を発行することができるため、顧客が上記商品を再び購入したくなるような仕組みが作れる。それゆえ、顧客が再度上記商品を購入する頻度が向上する。また、上記小売り店舗においても、本システムを利用した当該商品を販売することでリピート需要を獲得できるという利点がある。
【００１８】
一方、請求項５の発明によれば、所定の時期に家事代行サービスを予約（例えば、１２月の大掃除にあたり、１１月に家事代行サービスを予約）してくれた顧客に対して、特典（ポイント）を付与するようにすれば、家事代行サービス業者は、業務委託業者に対し効率的に業務を委託することができる。
【００１９】
さらに、請求項６の発明によれば、急な予約変更の際には、付与した特典（ポイント）の全部又は一部を消化するようにすれば、顧客も不利益を伴うこととなるため、業務委託業者のみが不利益を伴うという事態を防止することができる。
【図面の簡単な説明】
【００２０】
【図１】本発明に係る家事代行サービス予約方法に関する家事代行サービス予約システムの一実施形態を示す全体図である。
【図２】本実施形態に係る予約管理サーバのブロック図である。
【図３】同実施形態に係る家事代行サービス予約システムを用いた一使用例を説明するフローチャート図である。
【図４】同実施形態に係る家事代行サービス予約システムを用いて、業務委託業者がある地域で家事代行サービスを実施できる可動可能枠数を入力する際の画面例を示す図である。
【図５】同実施形態に係る家事代行サービス予約システムを用いて、顧客ページにログインした際の画面例を示す図である。
【図６】同実施形態に係る家事代行サービス予約システムを用いて、顧客が家事代行サービスを予約する際の予約日を入力する画面例を示す図である。
【図７】同実施形態に係る家事代行サービス予約システムを用いて、顧客が家事代行サービスを予約する際の予約の詳細を入力する画面例を示す図である。
【図８】同実施形態に係る家事代行サービス予約システムを用いて、業務委託業者が、ある顧客が家事代行サービスを申し込んだ案件に対する請負価格を入札する際の画面例を示す図である。
【図９】同実施形態に係る家事代行サービス予約システムを用いて、家事代行サービス業者が、業務を発注する業務委託業者を選定する際の画面例を示す図である。
【図１０】図９に示す画面例にて家事代行サービス業者が詳細確認を選択した際表示される画面例を示す図である。
【図１１】同実施形態に係る家事代行サービス予約システムを用いて、顧客が家事代行サービスに対する評価を入力する際の画面例を示す図である。
【図１２】同実施形態に係る家事代行サービス予約システムを用いて、業務委託業者が、顧客の評価を確認する際の画面例を示す図である。
【図１３】図６に示す画面例を変更した画面例を示す図である。
【図１４】図１３に示す画面例を用いて、顧客が家事代行サービスを予約した際、その予約内容を確認する画面例を示す図である。
【図１５】家事代行サービスの予約を顧客が変更する際の画面例を示す図である。
【図１６】図１５に示す画面例を用いて、顧客が家事代行サービスの予約の変更を選択した際、その変更内容を設定する画面例を示す図である。
【発明を実施するための形態】
【００２１】
以下、本発明に係る家事代行サービス予約方法に関する家事代行サービス予約システムの一実施形態について、図１〜図１２を参照して具体的に説明する。家事代行サービス予約システムは、図１に示すように、予約管理サーバ１と、家事代行サービス業者が業務委託する業務委託業者が使用する業務委託業者端末２と、顧客が使用する顧客端末３とがネットワークＮを介して接続されている。業務委託業者端末２，顧客端末３は、ＰＣ（Ｐｅｒｓｏｎａｌ  Ｃｏｍｐｕｔｅｒ）やｉｐｈｏｎｅ（登録商標）等のスマートフォンや携帯電話、ＰＤＡ（Ｐｅｒｓｏｎａｌ  Ｄｉｇｉｔａｌ  Ａｓｓｉｓｔａｎｃｅ）等で構成されてなるものである。なお、本実施形態においては、説明の都合上、業務委託業者端末２と顧客端末３とを１つだけ用いる例を示しているが、勿論、複数用いても良い。
【００２２】
予約管理サーバ１は、図２に示すように、ＣＰＵ等からなる中央制御部１０と、業務委託業者情報取得生成部１１と、業務委託業者情報データベース１２と、顧客情報取得生成部１３と、顧客情報データベース１４と、予約情報データベース１５と、業務委託業者枠登録情報取得生成部１６と、顧客予約情報取得生成部１７と、入札情報取得生成部１８と、評価情報取得生成部１９と、発注基準情報生成部２０と、画面プログラム２１と、無線ＬＡＮ，有線ＬＡＮ，ダイヤルアップ等の通信手段でネットワークＮに接続が可能な通信部２２と、マウス，キーボード，タッチパネル等の入力部２３と、液晶ディスプレイ等の表示部２４とで構成されている。
【００２３】
業務委託業者情報取得生成部１１は、図１に示す業務委託業者端末２を用いて業務委託業者が入力した住所，業務委託業者名，担当者，メールアドレス等を取得し、その業務委託業者に対して一意のＩＤとパスワードを発行するものである。なお、本実施形態においては、業務委託業者に対して一意のＩＤとパスワードを発行するようにしたが、業務委託締結時に、一意のＩＤとパスワードを直接業務委託業者に手渡しするようにしても良い。
【００２４】
そして、業務委託業者情報データベース１２には、上記業務委託業者情報取得生成部１１により取得された業務委託業者情報並びに上記発行されたＩＤとパスワードが格納され、さらに、業務委託業者に関連する家事代行サービスの情報が格納される。すなわち、例えば、業務委託業者がある地域で家事代行サービスを実施できる可動可能枠数を設定した情報（図４の画面Ｐ１参照）や、ある顧客が家事代行サービスを申し込んだ案件に対する請負価格を入札した入札額（図８の画面Ｐ５参照）や、ある顧客が家事代行サービスを受けた時の評価内容（図１１の画面Ｐ８，図１２の画面Ｐ９参照）等が格納される。
【００２５】
一方、顧客情報取得生成部１３は、図１に示す顧客端末３を用いて顧客が入力した住所，氏名，メールアドレス等を取得し、その顧客に対して一意のＩＤとパスワードを発行するものである。そして、顧客情報データベース１４には、上記顧客情報取得生成部１３により取得された顧客情報並びに上記発行されたＩＤとパスワードが格納され、さらに、顧客に関連する家事代行サービスの情報が格納される。すなわち、例えば、家事代行サービスを申し込んだ際の予約内容（図５の画面Ｐ２，図６の画面Ｐ３，図７の画面Ｐ４参照）等が格納される。
【００２６】
他方、予約情報データベース１５には、顧客が家事代行サービスの予約や評価等を実行する際に必要な情報及び業務委託業者が可動可能枠数や入札額等を設定する際に必要な情報が格納されている。なお、詳細は、後述する家事代行サービス予約システム使用例にて詳述することとする。
【００２７】
また、業務委託業者枠登録情報取得生成部１６は、業務委託業者が、図１に示す業務委託業者端末２を用いて家事代行サービスが可能な地域の可動可能枠数を日毎に設定した情報（図４の画面Ｐ１参照）を取得し、さらには、予約情報データベース１５に格納されている業務委託業者が設定した日毎の可動可能枠数の総数を更新するものである。
【００２８】
一方、顧客予約情報取得生成部１７は、顧客が家事代行サービスを申し込んだ際の予約内容（図５の画面Ｐ２，図６の画面Ｐ３，図７の画面Ｐ４参照）を取得すると共に、その予約内容に対して案件番号（図８の画面Ｐ５ａ参照）を付与する。そして、予約情報データベース１５に格納されている業務委託業者が設定した日毎の可動可能枠数の総数より顧客の予約数分だけ減算処理をし、業務委託業者が設定した日毎の可動可能枠数の総数を更新するものである。
【００２９】
また、入札情報取得生成部１８は、ある顧客が家事代行サービスを申し込んだ案件に対する請負価格を入札した入札額（図８の画面Ｐ５参照）を取得し、さらには、その入札額が予約情報データベース１５に現在格納されている入札額より低いか否かを判断し、低い場合は、その入札額を最安価格として更新するものである。
【００３０】
そして、評価情報取得生成部１９は、顧客が顧客端末３を用いて行った家事代行サービスに関する評価事項（図１１の画面Ｐ８参照）を取得し、さらには、その評価事項を評価点（図１２の画面Ｐ９ａ参照）として生成するものである。
【００３１】
一方、発注基準情報生成部２０は、家事代行サービス業者が、ある顧客が申し込んだ家事代行サービスに対する作業を委託する業務委託業者を選定する際の情報（図１０の画面Ｐ７ｂ）を生成するものである。
【００３２】
また、画面プログラム２１は、Ｗｅｂページを生成するためのプログラムが格納されている。すなわち、図４〜図１２に示す画面Ｐ１〜Ｐ９を生成するための画面プログラムが格納されている。
【００３３】
＜家事代行サービス予約システム使用例＞
次に、上記説明した家事代行サービス予約システムの使用例を図３のフローチャート図に基づいて説明し、さらに、図４〜図１２に示す画面例も用いて説明する。
【００３４】
業務委託業者が図１に示す業務委託業者端末２を用いてネットワークＮを介して予約管理サーバ１に接続すると、図２に示す中央制御部１０は、画面プログラム２１より、業務委託業者に業務委託情報の入力を促す画面（図示せず）を読み出し、その読み出した画面を業務委託業者端末２に送信する。これにより、業務委託業者は業務委託業者端末２に送信されてきた画面に基づいて、住所，業務委託業者名，担当者，メールアドレス等を入力する（ステップＳ１Ａ）。そして、その入力された業務委託業者情報がネットワークＮを介して通信部２２に送信されると、業務委託業者情報取得生成部１１は通信部２２より送信されてきた業務委託業者情報を取得し、その業務委託業者情報を識別するための一意のＩＤ及びパスワードを発行する（ステップＳ２）。なお、上記業務委託業者情報並びにＩＤ及びパスワードは、業務委託業者情報データベース１２に格納される。
【００３５】
一方、顧客が図１に示す顧客端末３を用いてネットワークＮを介して予約管理サーバ１に接続すると、図２に示す中央制御部１０は、画面プログラム２１より、顧客に顧客情報の入力を促す画面（図示せず）を読み出し、その読み出した画面を顧客端末３に送信する。これにより、顧客は顧客端末３に送信されてきた画面に基づいて、住所，氏名，メールアドレス等を入力する（ステップＳ１Ｂ）。そして、その入力された顧客情報がネットワークＮを介して通信部２２に送信されると、顧客情報取得生成部１３は通信部２２より送信されてきた顧客情報を取得し、その顧客情報を識別するための一意のＩＤ及びパスワードを発行する（ステップＳ２）。なお、上記顧客情報並びにＩＤ及びパスワードは、顧客情報データベース１４に格納される。なお言うまでもないが、当然のことながら、顧客情報を予約管理サーバ１に既に登録している顧客は、本実施形態のように顧客情報を入力しなくても良い。
【００３６】
ところで、上記ＩＤ及びパスワードを取得した業務委託業者は、そのＩＤ及びパスワードを使用し、業務委託業者端末２を用いてネットワークＮを介して予約管理サーバ１に接続し、業務委託業者ページにログインする。これにより、中央制御部１０は、画面プログラム２１より業務委託業者ページに関する画面情報を読み出し、その画面情報に、業務委託業者情報データベース１２に格納されている上記ＩＤに対応した業務委託業者情報を組み込んだ画面（図示せず）を業務委託業者端末２に送信する（ステップＳ３Ａ）。
【００３７】
そして、当該業務委託業者が、その画面（図示せず）に用意されている業務委託を請け負いたい地域に対応した「枠登録」ボタンを、業務委託業者端末２を用いてクリックすると、その情報がネットワークＮを介して通信部２２に送信される。これにより、中央制御部１０は、図４に示す画面Ｐ１を業務委託業者端末２に送信する。具体的に説明すると、予約情報データベース１５には、エアコン，レンジフード，浴室，キッチン等複数の家事代行サービス情報（画面Ｐ１ａ参照）が格納されており、そして、これら家事代行サービス情報毎に、値段のランク付け（画面Ｐ１ｂ参照）がされた情報が格納され、さらに、日毎にその値段のランク付けが設定されている予約カレンダー（画面Ｐ１ｃ参照）が格納されている。そこで、中央制御部１０は、画面プログラム２１より「枠登録」ボタンがクリックされた該当地域に関する画面情報を読み出し、その画面情報に、予約情報データベース１５に予め格納されている上述したデータ並びに業務委託業者情報データベース１２に格納されている上記ＩＤに対応した業務委託業者情報を組み込んだ画面Ｐ１（図４参照）を業務委託業者端末２に送信する。これにより、当該業務委託業者（図示では、株式会社Ａ様）は、画面Ｐ１ｃに示されている予約カレンダーのある日（図示では、２０１１年８月６日）を、業務委託業者端末２を用いてクリックすると、画面Ｐ１ｃ１に示すように数字がドロップダウンで表示され、その日に家事代行サービスを請け負うことが可能な可動可能枠数を設定することができる。そして、画面Ｐ１ｃに示す予約カレンダーの日毎に可動可能枠数を設定した当該業務委託業者は、画面Ｐ１ｄに示す「枠を登録する」ボタンをクリックする（ステップＳ４）。
【００３８】
これにより、その入力された可動可能枠数がネットワークＮを介して通信部２２に送信されると、業務委託業者枠登録情報取得生成部１６は、その可動可能枠数を取得し、中央制御部１０を介して業務委託業者情報データベース１２に格納する。そしてさらに、業務委託業者枠登録情報取得生成部１６は、予約情報データベース１５に格納されている予約カレンダーに設定された日毎の他の業務委託業者の可動可能枠数を、中央制御部１０を介して取得し、当該業務委託業者が設定した日毎の可動可能枠数と他の業務委託業者が設定した日毎の可動可能枠数とを日毎にそれぞれ加算した上で、その加算数を、中央制御部１０を介して予約情報データベース１５に格納する（ステップＳ５）。
【００３９】
一方、上記ＩＤ及びパスワードを取得した顧客は、そのＩＤ及びパスワードを使用し、図１に示す顧客端末３を用いてネットワークＮを介して予約管理サーバ１に接続し、顧客ページにログインする。これにより、中央制御部１０は、画面プログラム２１より顧客ページに関する画面情報を読み出し、その画面情報に、顧客情報データベース１４に格納されている上記ＩＤに対応した顧客情報を組み込んだ図５に示す画面Ｐ２を顧客端末３に送信する（ステップＳ３Ｂ）。
【００４０】
次いで、顧客は、家事代行サービスを予約するにあたって、図５に示す画面Ｐ２に示す画面Ｐ２ａの「サービスを予約する」ボタンをクリックすると、その情報がネットワークＮを介して通信部２２に送信される。これにより、中央制御部１０は、図６に示す画面Ｐ３を顧客端末３に送信する。具体的に説明すると、中央制御部１０は、画面プログラム２１より家事代行サービスの予約に関する画面情報を読み出し、その画面情報に、予約情報データベース１５に予め格納されているエアコン，レンジフード，浴室，キッチン等複数の家事代行サービス情報（画面Ｐ３ａ参照）、そして、これら家事代行サービス情報毎に、値段のランク付け（画面Ｐ３ｂ参照）がされた情報、さらに、日毎にその値段のランク付けが設定され、且つ、当該顧客（図示では、佐藤一郎様）がサービスを受けられる数が設定された予約カレンダー（画面Ｐ３ｃ参照）並びに顧客情報データベース１４に格納されている上記ＩＤに対応した顧客情報を組み込んだ画面Ｐ３（図６参照）を顧客端末３に送信する。この画面Ｐ３は、図６の画面Ｐ３ｃに示すように、サービスを受けられる数は中央制御部１０によって可視化され、画面Ｐ３ｄに示すように、サービスを受けられる数が５を超えていた場合は、余裕ありとして「○」で表示され、５以下の場合は、「△」で表示され、０の場合は「×」で表示される。また、顧客が顧客端末３を用いて、図６の画面Ｐ３ｅに示す「前月」ボタンをクリックすると、画面Ｐ３ｃに示す月の前月の予約カレンダーが表示され、画面Ｐ３ｆに示す「翌月」ボタンをクリックすると、画面Ｐ３ｃに示す月の翌月の予約カレンダーが表示される。なお、上記「○」，「△」，「×」の表記に関しては、これに限定されず、例えば、具体的数値で表現しても良い。なおまた、サービスを受けられる数の詳細については、後述することとする。
【００４１】
かくして、顧客は、図６に示す画面Ｐ３が顧客端末３に送信されてくると、家事代行サービスを所望する日、すなわち、画面Ｐ３ｃに示す予約カレンダーに示す該当日を、顧客端末３を用いてクリックする。これにより、その情報がネットワークＮを介して通信部２２に送信されると、中央制御部１０は、図７に示す画面Ｐ４を顧客端末３に送信する。具体的に説明すると、予約情報データベース１５には、エアコン，レンジフード，浴室，キッチン等複数の家事代行サービス情報（画面Ｐ４ａ参照）が格納されており、そして、これら家事代行サービス情報毎に、サービス名称及び商品ＩＤが付されており（画面Ｐ４ｂ参照）、さらに、そのサービスに対する顧客への質問事項（画面Ｐ４ｃ参照）が格納されている。そこで、中央制御部１０は、画面プログラム２１より予約内容に関する画面情報を読み出し、その画面情報に、予約情報データベース１５に予め格納されている上記したデータ及び顧客が顧客端末３を用いて選択した家事代行サービスを所望する日並びに顧客情報データベース１４に格納されている上記ＩＤに対応した顧客情報を組み込んだ画面Ｐ４（図７参照）を顧客端末３に送信する。これにより、当該顧客（図示では、佐藤一郎様）は、画面Ｐ４ｃに示されている質問事項を、顧客端末３を用いて回答し、さらに、選択したサービス希望日の時間帯を画面Ｐ４ｄに示すようにドロップダウンリストより選択する。そして、予約内容を設定した当該顧客は、画面Ｐ４ｅに示す「送信する」ボタンをクリックする（ステップＳ６）。なお、本実施形態においては示していないが、上述したような可動可能枠数を業務委託業者が設定していない日があった場合には、その日を灰色にし、顧客がその日を選択することができないようにすることもできる。また、本実施形態においては、家事代行サービス情報毎に、値段のランク付け（画面Ｐ３ｂ参照）がされた情報、並びに、日毎にその値段のランク付けが設定された予約カレンダー（画面Ｐ３ｃ参照）を用いた例を示したが、値段のランク付けがされていない予約カレンダー、すなわち、顧客（図示では、佐藤一郎様）がサービスを受けられる数が設定されただけの予約カレンダーを用いても良い。
【００４２】
ところで、その入力された予約内容がネットワークＮを介して通信部２２に送信されると、顧客予約情報取得生成部１７は、その予約内容を取得し、中央制御部１０を介して顧客情報データベース１４に格納されると共に、その予約内容に対し案件番号（図８の画面Ｐ５ａ参照）を付した上で、予約情報データベース１５にも格納される。そしてさらに、顧客予約情報取得生成部１７は、予約情報データベース１５に格納されている予約カレンダーに設定された日毎の業務委託業者の可動可能枠数を、中央制御部１０介して取得し、業務委託業者の可動可能枠数より顧客によって予約された数を減算することで、その算出数を、サービスを受けられる数（図６の画面Ｐ３ｃ参照）として予約情報データベース１５に格納させる（ステップＳ７）。
【００４３】
次いで、中央制御部１０は、上記ステップＳ７の処理後、上記予約内容の該当日及び該当地域に対し可動可能枠数を設定している業務委託業者を業務委託業者情報データベース１２より検索し、該当する業務委託業者の業務委託業者端末２に通信部２２を介して予約が入った旨のメール送信を行う（ステップＳ８）。
【００４４】
これを受けて業務委託業者は、上記ＩＤ及びパスワードを使用し、業務委託業者端末２を用いてネットワークＮを介して予約管理サーバ１に接続し、業務委託業者ページにログインし、そのページに設けられている「入札」ボタンをクリックする。これにより、中央制御部１０は、図８に示す画面Ｐ５を業務委託業者端末２に送信する。具体的に説明すると、上述したように、予約情報データベース１５には、顧客の予約内容に対し案件番号（画面Ｐ５ａ１参照）が付されたものが格納されており、さらに、その案件に対する現在の最安価格（画面Ｐ５ｄ参照）が格納されている。そこで、中央制御部１０は、画面プログラム２１より入札に関する画面情報を読み出し、その画面情報に、予約情報データベース１５に予め格納されている上記データ並びに業務委託業者情報データベース１２に格納されている上記ＩＤに対応した業務委託業者情報を組み込んだ画面Ｐ５を業務委託業者端末２に送信する。これにより、当該業務委託業者（図示では、株式会社Ａ様）は、画面Ｐ５ｄに示されている現在の最安価格を確認し、それよりも安値で業務を請負う場合は、画面Ｐ５ｂに示す入札価格に入札額を、業務委託業者端末２を用いて入力し、画面Ｐ５ｃに示す「入札する」ボタンをクリックする（ステップＳ９）。
【００４５】
これにより、その入力された入札額がネットワークＮを介して通信部２２に送信されると、入札情報取得生成部１８は、その入札額を取得し、中央制御部１０を介して業務委託業者情報データベース１２に格納させると共に、予約情報データベース１５に当該入札額を格納させる。そして、入札情報取得生成部１８は、その入札額が予約情報データベース１５に現在格納されている入札額より低いか否かを判断し、低い場合は、その入札額を最安価格として予約情報データベース１５に格納させる（ステップＳ１０）。なお、この最安価格として格納された情報が図８の画面Ｐ５ｄに表示されることとなる。
【００４６】
次いで、家事代行サービス業者が、予約管理サーバ１の入力部２３を用いて予約管理サーバ１にアクセスすると、中央制御部１０は、表示部２４に図９に示す画面Ｐ６を表示させる。具体的には、中央制御部１０は、画面プログラム２１より業務委託業者に発注していない未発注の案件に関する画面情報を読み出し、その画面情報に、予約情報データベース１５に格納されている未発注の予約内容（画面Ｐ６ａ参照）及び予約された商品の商品ＩＤ（画面Ｐ６ｂ参照）並びに当該商品に対し上記ステップＳ９にて入札した業務委託業者の総数（画面Ｐ６ｃ参照）を組み込んだ画面Ｐ６が表示部２４に表示される。これにより、家事代行サービス業者が、入力部２３を用いて画面Ｐ６ｄに示す「詳細確認」ボタンをクリックすると、図１０に示す画面Ｐ７が表示部２４に表示される。すなわち、中央制御部１０は、「詳細確認」ボタンがクリックされると、画面プログラム２１より予約の詳細画面に関する画面情報を読み出し、その画面情報に、予約情報データベース１５に格納されている予約の詳細内容（画面Ｐ７ａ参照）及びその予約に対し上記ステップＳ９にて入札した業務委託業者の内容（画面Ｐ７ｂ参照）を組み込んだ画面Ｐ７を表示部２４に表示させる。これにより、家事代行サービス業者は、画面Ｐ７ｂに示されている業務委託業者から発注する業者を、入力部２３を用いて選択し、画面Ｐ７ｃに示す「発注する」ボタンをクリックする。これにて、選択した業務委託業者の業務委託業者端末２に、通信部２２を介して発注書が送信され、さらに、予約完了メールが顧客の顧客端末３に、通信部２２を介して送信される。そして、発注された予約内容に関しては、発注がされた案件として中央制御部１０によって、予約情報データベース１５に格納される（ステップＳ１１）。なお、ステップＳ９及びステップＳ１０の処理を設けない場合は、業務委託業者端末２を用いて連絡してきた業務委託業者のうち、最も連絡が早かった業務委託業者に対して自動で業務発注するようにしても良い。なおまた、図１０の画面Ｐ７ｂに示す評価数や総合評価に関しては後述することとする。
【００４７】
その後、上記発注を請負った業務委託業者が、当該顧客に対する家事代行サービスを完了すると、顧客は顧客端末３を用いて当該サービスに対する評価を行う。すなわち、顧客は、上記ＩＤ及びパスワードを利用し、顧客端末３を用いてネットワークＮを介して予約管理サーバ１に接続し、顧客ページにログインする。これにより、中央制御部１０は、画面プログラム２１より顧客ページに関する画面情報を読み出し、その画面情報に、顧客情報データベース１４に格納されている上記ＩＤに対応した顧客情報を組み込んだ図５に示す画面Ｐ２を顧客端末３に送信する。そして、顧客は、当該サービスに対する評価を行うため、顧客端末３を用いて図５に示す画面Ｐ２ｂの「サービスを評価する」ボタンをクリックすると、その情報がネットワークＮを介して通信部２２に送信される。これにより、中央制御部１０は、図１１に示す画面Ｐ８を顧客端末３に送信する。すなわち、中央制御部１０は、予約情報データベース１５に予め格納されている業務委託業者に対する評価事項（画面Ｐ８ａ参照）並びに顧客情報データベース１４に格納されている上記ＩＤに対応した顧客情報を組み込んだ図１１に示す画面Ｐ８を顧客端末３に送信する。これにて、顧客は、画面Ｐ８ａに示されている評価事項を、顧客端末３を用いて回答し、当該顧客は、画面Ｐ８ｂに示す「評価を投稿する」ボタンをクリックする（ステップＳ１２）。
【００４８】
かくして、その入力された評価事項がネットワークＮを介して通信部２２に送信されると、評価情報取得生成部１９は、その評価事項を取得し、その評価事項を、業務委託業者情報データベース１２に格納させる。そしてさらに、評価情報取得生成部１９は、その評価事項を、例えば「態度」，「掃除力」，「説明力」，「ヒアリング力」，「段取力」（図１２の画面Ｐ９ａ参照）の５つの項目に分け評価点を算出する。すなわち、図１１に示す画面Ｐ８ａの評価事項は、「態度」，「掃除力」，「説明力」，「ヒアリング力」，「段取力」を問うような内容になっており、しかも、「大変良い」「良い」「ふつう」「悪い」「大変悪い」の５つの項目より一つ選択するようになっている。そのため、例えば、「大変良い」が１００、「良い」が８０、「ふつう」が５０、「悪い」が２０、「大変悪い」が０というように評価点を予め決めておけば、評価情報取得生成部１９は、その評価点に従って、「態度」，「掃除力」，「説明力」，「ヒアリング力」，「段取力」毎の平均点を算出することができる。そして、当該評価点より前の評価点が業務委託業者情報データベース１２に格納されていた場合は、その評価点も併せた平均点を算出することができる。これにより、評価情報取得生成部１９は、「態度」，「掃除力」，「説明力」，「ヒアリング力」，「段取力」それぞれの評価点を算出することができる。そして、総合評価は、「態度」，「掃除力」，「説明力」，「ヒアリング力」，「段取力」それぞれの評価点の合計を平均することにより算出することができる。
【００４９】
このようにして、評価情報取得生成部１９は、評価点を算出し、その評価点を、業務委託業者情報データベース１２に格納させ、そして、評価数（当該業務委託業者に評価を行った顧客数）を＋１インクリメントし格納させる（ステップＳ１３）。なお、その格納された総合評価及び評価数の情報が図１０の画面Ｐ７ｂに表示されることとなる。なおまた、図１１には図示していないが、画面Ｐ８ａに示されている評価事項の欄に自由な感想を書くスペースを設けることもでき、その欄に、顧客が顧客端末３を用いて回答した場合、評価情報取得生成部１９は、その内容を取得し、中央制御部１０を介して業務委託業者情報データベース１２に格納させることができる。そして、その内容によっては、家事代行サービス業者が入力部２３を用いて、上記評価点を修正することもできる。
【００５０】
次いで、業務委託業者は、上記ＩＤ及びパスワードを使用し、業務委託業者端末２を用いてネットワークＮを介して予約管理サーバ１に接続し、業務委託業者ページにログインすると、中央制御部１０は、図１２に示す画面Ｐ９を業務委託業者端末２に送信する。具体的に説明すると、中央制御部１０は、画面プログラム２１より業務委託業者ページに関する画面情報を読み出し、その画面情報に、業務委託業者情報データベース１２に格納されている評価点（画面Ｐ９ａ参照）及び評価内容（画面Ｐ９ｃ参照）並びに上記ＩＤに対応した業務委託業者情報を組み込み、図１２に示す画面Ｐ９を業務委託業者端末２に送信する。これにより、業務委託業者は、業務委託業者端末２にて評価を確認することができる（ステップＳ１４）。なお、画面Ｐ９は、図１２の画面Ｐ９ｂに示すように、中央制御部１０により、評価は可視化され、一目で分かるようになっている。そして、画面Ｐ９ｃ１に示す「詳細確認」ボタンをクリックすると、図１１の画面Ｐ８ａに示す評価事項の内容が確認できるようになっている。なお、図１２には図示していないが、他の業務委託業者の評価を検索できるようなボタンを設けることもできる。検索条件としては、例えば、サービス内容（エアコン，キッチン等）及びサービスを行った日付で検索できるようにしておけばよい。このように他の業務委託業者の評価を検索できるようにしておけば、業務委託業者間で顧客の評価を共有することができ、家事代行サービスの品質の向上につなげることができる。
【００５１】
ここで、図１０の画面Ｐ７ｂについてより詳しく説明する。図１０に示す画面Ｐ７ｂでは、デフォルトで、「株式会社Ｃ様」が選択されているが、それは次のような仕組みで選択されている。
【００５２】
まず、家事代行サービス業者は、入力部２３を用いて発注基準情報生成部２０に地域毎（例えば、東京都Ａ）の前月度売上高（例えば、１００，０００円）を設定する。そして、発注基準情報生成部２０は、例えば、東京都Ａの地域に入札があった業務委託業者の総合評価点を業務委託業者情報データベース１２より読み出し、目標売上の配分を算出する。
【００５３】
すなわち、例えば、株式会社Ａ社の総合評価点が７２点、株式会社Ｂ社の総合評価点が７０点、株式会社Ｃ社の総合評価点が９０点であった場合、株式会社Ａ社の目標売上は、１００，０００×７２／（７２＋７０＋９０）＝３１，０３４円となり、株式会社Ｂ社の目標売上は、１００，０００×７０／（７２＋７０＋９０）＝３０，１７２円となり、株式会社Ｃ社の目標売上は、１００，０００×９０／（７２＋７０＋９０）＝３８，７９３円となる。これにより、発注基準情報生成部２０は、まず、総合評価が最も高い業務委託業者（図１０の画面Ｐ７ｂに示す株式会社Ｃ）がデフォルトで選択されるように設定し、それに基づいて家事代行サービス業者が、当該業務委託業者（図１０の画面Ｐ７ｂに示す株式会社Ｃ）に発注していく。そして、当該業務委託業者（図１０の画面Ｐ７ｂに示す株式会社Ｃ）の目標売上金額（３８，７９３円）を超えれば、発注基準情報生成部２０は、総合評価が次に高い業務委託業者（図１０の画面Ｐ７ｂに示す株式会社Ａ）がデフォルトで選択されるように設定し、それに基づいて家事代行サービス業者が、当該業務委託業者（図１０の画面Ｐ７ｂに示す株式会社Ａ）に発注していく。そして、当該業務委託業者（図１０の画面Ｐ７ｂに示す株式会社Ａ）の目標売上金額（３１，０３４円）を超えれば、発注基準情報生成部２０は、総合評価が次に高い業務委託業者（図１０の画面Ｐ７ｂに示す株式会社Ｂ）がデフォルトで選択されるようにし、それに基づいて家事代行サービス業者が、当該業務委託業者（図１０の画面Ｐ７ｂに示す株式会社Ｂ）に発注していく。そして、当該業務委託業者（図１０の画面Ｐ７ｂに示す株式会社Ａ）の目標売上金額（３０，１７２円）を超えれば、発注基準情報生成部２０は、売上に関係なく、総合評価が最も高い業務委託業者（図１０の画面Ｐ７ｂに示す株式会社Ｃ）がデフォルトで選択されるように設定する。
【００５４】
すなわち、上記ステップＳ１１の内容をより詳しく説明すれば、中央制御部１０は、表示部２４に画面Ｐ７を表示させるにあたって、発注基準情報生成部２０の内容も読み出した上で、表示部２４に画面Ｐ７を表示させている。これにより、評価の高い業務委託業者を優先的に選択することができる。それゆえ、サービスの品質の向上につながる。なお、売上金額は、家事代行サービス業者が図１０の画面Ｐ７ｃの「発注する」ボタンをクリックすることにより、発注基準情報生成部２０にて、入札額を積算していけば良い。また、本実施形態においては、家事代行サービス業者が、入力部２３を用いて発注基準情報生成部２０に地域毎（例えば、東京都Ａ）の前月度売上高（例えば、１００，０００円）を設定するようにしたが、発注基準情報生成部２０にて、月ごとに売上金額を積算し、その売上金額を前月度売上高にしても良い。
【００５５】
以上説明した本実施形態によれば、予約管理サーバ１に予め格納されている日毎に家事代行サービスの値段のランク付けがされている予約カレンダーに対し、業務委託業者が上記業務委託業者端末２を用いて日毎の家事代行サービス可動可能枠数を設定し、さらに、その業務委託業者の可動可能枠数が設定された内容を含む予約カレンダーに対し、顧客が顧客端末３を用いて家事代行サービスを所望する日時を予約し、そして、その予約された日時に対する業務発注を、予約管理サーバ１を用いて当該業務委託業者端末２に送信するようにしている。そのため、業務委託業者は、価格帯が異なる日毎に自らの意思で可動可能枠数を設定し、さらに、顧客は、上記業務委託業者が可動可能枠数を設定した日のうち、家事代行サービスを所望している日に当該サービスを予約することができ、そして、家事代行サービス業者は、業務委託業者が自らの意思で可動可能枠数を設定した日に顧客からの家事代行サービスの予約が入れば業務発注をしているため、家事代行サービス業者としては、業務委託業者に業務発注を断られる事態を低減させることができ、さらに、業務委託業者としては、通常よりも低価格の請負であっても稼働率を上げることができ、そして、顧客側としては、通常よりも低価格で家事代行サービスを受けることができる。
【００５６】
したがって、本実施形態によれば、サービス供給の平準化が可能となる。
【００５７】
また、本実施形態によれば、顧客が顧客端末３を用いて家事代行サービスを予約した日時に対する家事代行サービスの請負値を業務委託業者が業務委託業者端末２を用いて入札し、その入札した業務委託業者に対し、家事代行サービス業者が、当該業務委託業者に対する業務発注を、予約管理サーバ１を用いて当該業務委託業者端末２に送信しているから、より低価格で家事代行サービスを請負っても稼働率を上げることを所望している業務委託業者を満足させることができる。それゆえ、よりサービス供給の平準化が可能となる。
【００５８】
一方、本実施形態では示していないが、家事代行サービスをパッケージ化し店頭販売（インターネット上での販売も含む）しているような商品（例えば、家事玄人（登録商標））にも適用可能である。すなわち、店頭販売している商品を用いる場合は、顧客が上記ＩＤ及びパスワードを使用し、顧客端末３を用いてネットワークＮを介して予約管理サーバ１に接続し、顧客ページにログインした後、当該商品に付されている商品ＩＤを入力してもらうようにすれば良い。なお、店頭販売している商品は、当然一律の値段が付されているが、差額が生じた場合は、顧客の口座に差額を振り込むか、あるいは、ポイント還元等すれば良い。
【００５９】
また一方、予約情報データベース１５に家事代行サービス情報毎に、サービスチケット番号とそのサービスチケット番号に対応する小売り店舗の情報を夫々付したものを予め格納させておき、家事代行サービスをパッケージ化し店頭販売（インターネット上での販売も含む）しているような商品を購入した顧客が、上記ステップＳ６にて家事代行サービスの予約をすれば、当該予約した家事代行サービスに対応するサービスチケット番号とそのサービスチケット番号に対応する小売り店舗の情報が記載されたチケットを図５に示す画面Ｐ２に表示させることができる。また、顧客端末３にメールを送信するようにすることもできる。このようにすれば、顧客が、家事代行サービスを購入した小売り店舗で使用できるサービスチケット番号が付与されたクーポン等を発行することができるため、顧客が上記商品を再び購入したくなるような仕組みが作れる。そのため、顧客が再度上記商品を購入する頻度が向上する。また、上記小売り店舗においても、本システムを利用した当該商品を販売することでリピート需要を獲得できるという利点がある。なお、予約情報データベース１５には、商品出荷前に予めＩＤを格納しておく必要がある。また、クーポン等とは、割引クーポン券、あるいは、他の商品との引換等、顧客の購入を促すインセンティブとなるものであればどのようなものでも良い。
【００６０】
他方、図６にて示した画面Ｐ３を図１３に示す画面Ｐ３０に変更することもできる。なお、画面Ｐ３０の説明にあたって、画面Ｐ３と同一内容のものに関しては、同一の符号をし、説明は省略することとする。
【００６１】
この画面Ｐ３０には、顧客が家事代行サービスを予約するにあたって、受けたい家事代行サービスの内容を選択したもの（画面Ｐ３０ａ参照）が含まれており、顧客がその選択したサービスを受けたい日時を選択することができる予約カレンダー（画面Ｐ３０ｂ参照）が含まれている。
【００６２】
この予約カレンダー（画面Ｐ３０ｂ参照）は、作業時間帯（家事代行サービスが可能な時間帯）が予め設定されており（画面Ｐ３０ｂ１参照）、そして、日毎に、上記作業時間帯に応じて当該顧客（図示では、佐藤一郎様）がサービスを受けられる数が設定されている（画面Ｐ３０ｂ２参照）。
【００６３】
かくして、このような画面Ｐ３０が、顧客端末３（図１参照）に送信されてくると、顧客は、顧客端末３を用いて、サービスを受けたい日時をクリックする。これにより、その情報がネットワークＮを介して通信部２２に送信され、中央制御部１０は、図１４に示す画面Ｐ４０を顧客端末３に送信する。
【００６４】
図１４に示すように、この画面Ｐ４０には、顧客が選択したサービス予定日時が含まれ（画面Ｐ４０ａ参照）、さらに、付与されるポイント数が含まれ（画面Ｐ４０ｂ参照）、そして、予約の詳細を登録する画面に移行する予約詳細登録ボタン（画面Ｐ４０ｃ参照）が含まれている。このポイント数は、予約管理サーバ１に含まれているポイント生成部（図示せず）によって生成される。すなわち、このポイント生成部は、例えば、６月〜８月のエアコン掃除を４月か５月に予約してくれた場合、あるいは、１２月の大掃除を１１月に予約してくれた場合等、所定の時期に予約してくれた場合にポイントを付与するもので、それ以外は、ポイントを付与しないようにしている。それゆえ、図１３に示す画面Ｐ３０に限らず、図６にて示した画面Ｐ３にて予約した場合も同様にポイントが付与される。
【００６５】
かくして、顧客は、このような画面Ｐ４０が顧客端末３（図１参照）に送信されてくると、顧客端末３を用いて、予約詳細登録ボタン（画面Ｐ４０ｃ参照）をクリックする。これにより、図７に示す画面Ｐ４が顧客端末３に送信されてくることとなる。なお、画面Ｐ４のうち、画面Ｐ４ａ及び画面Ｐ４ｄは既に選択済みであるため、当該送信されてくる画面Ｐ４に上記画面Ｐ４ａ及び画面Ｐ４ｄが含まれていないことは言うまでもない。なお、図１３には図示していないが、この予約カレンダーに示す時間帯に当該サービスを受けたい時間がない場合は、任意に時間帯を設定できる画面（例えば、図７に示す画面Ｐ４ｄ）を画面Ｐ３０ｂとは別に含めることもできる。
【００６６】
しかして、このように、所定の時期に家事代行サービスを予約してくれた顧客に対して、ポイントを付与するようにすれば、家事代行サービス業者は、業務委託業者に対し効率的に業務を委託することができる。
【００６７】
また一方、図１５に示すように、予約した家事代行サービスの予約を変更できるようにすることもできる。図１５に示す画面Ｐ５０は、図５に示す画面Ｐ２を変更したもので、画面Ｐ２と同一内容のものに関しては、同一の符号をし、説明は省略することとする。
【００６８】
この画面Ｐ５０には、予約変更ボタン（画面Ｐ５０ａ参照）が含まれており、顧客が顧客端末３を用いて、当該予約変更ボタン（画面Ｐ５０ａ参照）をクリックすると、予約管理サーバ１より、図１６に示す画面Ｐ６０が顧客端末３に送信されてくる。
【００６９】
これにより、顧客は、顧客端末３を用いて、家事代行サービスを受けたい日時を選択（画面Ｐ６０ａ参照）する。その際、当初予約していた予約日時の直近（例えば、前日）に変更しようとすると、画面Ｐ６０ａがアクティブになっておらず、ポイントを使う（−１００ｐｔ）というボタン（画面Ｐ６０ｂ参照）をクリックすることにより、はじめて画面Ｐ６０ａがアクティブとなり、予約日時を変更することができるようになる。
【００７０】
このようにして、顧客は、顧客端末３を用いて、家事代行サービスを受けたい日時を変更し、その後、登録ボタン（画面Ｐ６０ｃ参照）をクリックすることにより、予約日時が変更されることとなる。なお、上記ポイントはあくまで例示であり、必ずしも１００ｐｔマイナスせずとも良く、任意のポイントで良い。
【００７１】
しかして、このように、急な予約変更の際には、付与したポイントを消化するようにすれば、顧客も不利益を伴うこととなるため、業務委託業者のみが不利益を伴うという事態を防止することができる。
【００７２】
なお、本実施形態において、予約管理サーバ１を一台で構築する例を示したが、勿論、処理を分散させ複数台で構築しても良い。
【００７３】
また、本実施形態において説明した、家事代行サービス予約システム及び使用例並びに画面例はあくまで一例であり、これに限定されるものではない。
【符号の説明】
【００７４】
１          予約管理サーバ
２          業務委託業者端末
３          顧客端末
Ｎ          ネットワーク
【図１】
0005706360.tif 000002
【図２】
0005706360.tif 000003
【図３】
0005706360.tif 000004
【図４】
0005706360.tif 000005
【図５】
0005706360.tif 000006
【図６】
0005706360.tif 000007
【図７】
0005706360.tif 000008
【図８】
0005706360.tif 000009
【図９】
0005706360.tif 000010
【図１０】
0005706360.tif 000011
【図１１】
0005706360.tif 000012
【図１２】
0005706360.tif 000013
【図１３】
0005706360.tif 000014
【図１４】
0005706360.tif 000015
【図１５】
0005706360.tif 000016
【図１６】
0005706360.tif 000017